(57)【要約】【課題】表示品位と機械的強度とを低下させることなく、電池容量を増加させうる液晶表示装置を提供するとともに、それを用いた電子機器の薄型軽量化を実現する。【解決手段】液晶表示パネル１をバックライト２と共に背面側より覆う筐体４内に、これら液晶表示パネル１及びバックライト２と積層して、薄板状の蓄電池であるシートバッテリー３を配する。【選択図】  図１
2004163462.tif 000002
【特許請求の範囲】
【請求項１】
液晶表示パネルと、該液晶表示パネルに積層して配される背面光源部とを備えた液晶表示装置において、
上記液晶表示パネルを上記背面光源部と共に背面側より覆う筐体内に、これら液晶表示パネル及び背面光源部と積層して、薄板状の蓄電池が配されていることを特徴とする液晶表示装置。
【請求項２】
上記蓄電池と上記筐体における上記液晶表示パネルの背面側を覆う底面とが密着固定されて一体化されていることを特徴とする請求項１に記載の液晶表示装置。
【請求項３】
上記背面光源部と上記蓄電池とが密着固定されて一体化されていることを特徴とする請求項１または２に記載の液晶表示装置。
【請求項４】
上記蓄電池における上記背面光源部との対向面が光反射特性を有することを特徴とする請求項１から３のいずれか１項に記載の液晶表示装置。
【請求項５】
上記対向面が凹凸を有することを特徴とする請求項４に記載の液晶表示装置。
【請求項６】
上記蓄電池と上記背面光源部とが、散乱粒子入りの接着層を介して接着されていることを特徴とする請求項４に記載の液晶表示装置。
【請求項７】
積層面における上記蓄電池の大きさが、上記液晶表示パネルと同等もしくは液晶表示パネルよりも大きいことを特徴とする請求項１から６のいずれか１項に記載の液晶表示装置。
【請求項８】
上記蓄電池のパッケージがグランドに接続されていることを特徴とする請求項１から７のいずれか１項に記載の液晶表示装置。
【請求項９】
上記請求項１から８のいずれか１項に記載の液晶表示装置を表示部として備えたことを特徴とする携帯用電子機器。
【請求項１０】
薄板状に形成され、液晶表示パネルの背面側に配されることで、該液晶表示パネルに対して機械的強度及び剛性を付与し得ることを特徴とする蓄電池。
【請求項１１】
液晶表示パネル側の面が光反射特性を有することを特徴とする請求項１０に記載の蓄電池。
【請求項１２】
上記液晶表示パネル側の面がさらに凹凸を有することを特徴とする請求項１１に記載の蓄電池。
【発明の詳細な説明】
【０００１】
【発明の属する技術分野】
本発明は、液晶表示装置に係るものであり、より詳細には、例えば、携帯用電子機器の表示部として好適な液晶表示装置に関するものである。
【０００２】
【従来の技術】
近年、携帯用電子機器（以下、モバイル機器と称する）のディスプレイ（表示部）として液晶表示装置がよく使われている。液晶表示装置は、液晶表示パネルを備えており、該液晶表示パネルは、一般的な構成として、ガラス等からなる透明な一対の基板間に液晶層が狭層されてなる。液晶表示装置は携帯性に優れ、消費電力も小さく、ノートパソコン用ディスプレイを初め、ＰＤＡ、携帯電話等のモバイル機器に広く用いられている。モバイル機器は、自身に電源供給用の電池を備えることが必要であり、さらに、携帯性、利便性の面から薄型軽量でかつ長時間使用可能なものが求められている。
【０００３】
しかし、液晶表示パネルは受光型素子のため、光源となるバックライト（背面光源部）が必要であると共に、そのバックライトに供給する電力が必要である。そして、このバックライトは、電力の消費が多く、必要輝度にもよるが、液晶表示パネルの駆動に必要とされるところの数倍の電力を消費する。このことは、電力供給を行う電池の容量を多くし、軽量性を犠牲にする。また、軽量性を確保するために、電池容量が増やせない場合には、使用時間を犠牲にすることになる。
【０００４】
そのため、モバイル機器のディスプレイでは、軽量性と連続使用時間を確保するために、バックライトを必要としない反射型の液晶表示装置を使用する場合もある。しかしながら、この反射型液晶表示装置は、バックライトを備えた透過型液晶表示装置に比べて、コントラスト、輝度、色味の点で、劣っているのが現状であり、表示品位の求められる機器には自身に光源を持つ透過型、もしくは半透過型の液晶表示装置が一般的に使用されている。
【０００５】
このような透過型、及び半透過型液晶表示パネルに使用されるバックライトには、液晶表示パネルの下に発光源を置く直下型のバックライトと、バックライトの側面に発光源、バックライトの裏面側（液晶表示パネルの配置された面の反対側）に反射シートを配置し、バックライト内部の多重反射、及び反射シートの反射を利用して液晶表示パネル側のみを面光源とするエッジライト型のバックライトがある。これらはいずれも、液晶表示装置の厚み及び重さに影響するため、より薄型軽量で、より光の利用効率の高い、より消費電力の少ないものが求められている。
【０００６】
また、従来、反射型液晶表示装置および透過型液晶表示装置で筐体を共用するにおいて、バックライトを要しない反射型液晶表示装置の裏面に、バックライトに代えて薄板状の内蔵電圧を配した構成もある。これにおいては、反射型と透過型とで筐体の共用化を図りながら、バックライトのための不要なスペースを有効使用して、内蔵電池の容量を十分に確保できる（特許文献１）。
【０００７】
【特許文献１】
特開２０００−３５６９６１公報（平成１２年１２月２６日公開）
【０００８】
【発明が解決しようとする課題】
上記のように、モバイル機器は電源を自身に持つ必要があるため、使用時間に十分足りるだけの電池容量を持った電池を内蔵する必要がある。特に、反射型とは違い、バックライトを必要とする透過型や半透過型の液晶表示装置では、このバックライトの点灯に要する消費電力が液晶表示パネルの駆動等に使われるところの数倍以上もある。それがため、透過型や半透過型の液晶表示装置ではより多くの電池容量が必要であるとともに、モバイル機器として持ち歩く場合には、長時間の使用も求められるため、さらなる電池容量を必要とする。
【０００９】
しかしながら、このような電池に関する要望は、携帯性を考える上で求められる薄型軽量化に反し、厚み及び重量の増加につながるものである。
【００１０】
また、上記のような液晶表示装置は薄型軽量を求められてはいるものの、特に透明基板がガラスにより構成された液晶表示パネル等は、脆性材料のため、外力のような機械的圧力により、破壊が生じる。このような破壊は、商品として致命的なものであり、強度面でも十分な考慮が必要である。
【００１１】
さらに、液晶表示パネル等は曲げなどの変形が起こると、間に介在している液晶の配向が乱れ、表示不良となる。このような問題は、透明基板にガラスを使用しているものに限らず、樹脂製のものでも同様に起こる。そのため、液晶表示パネルは、外力に対し極力変形しないような構造が求められる。
【００１２】
そのため、一般的にはその外側に位置する筐体の強度及び剛性を高くし、曲がりにくく、破壊されにくい構造とすることにより、外力が中の液晶表示パネル、バックライト、さらにはその周辺の回路基板やインバーターにかかりにくい構成となっている。
【００１３】
例えば、一般にモバイル用途に使われるノートパソコン等では、薄型軽量を目的とし、マグネシウム合金等を使用した筐体が最近では多く見られる。モバイル用途に用いられるディスプレイの筐体（表示部の筐体）には、液晶表示パネル等、中に組み込まれた部品が変形、破壊しないような十分な強度が要求される反面、モバイル性の観点から、より薄く、軽いことも要求される。この点、上記マグネシウム合金は、比重が１．８ｇ／ｃｍ程度と軽い上、高い剛性を持っているために比重に対する剛性（以下、比剛性という。）が高く、少しでも軽く剛性を出そうとした場合に、良好な材料と考えられるからである。
【００１４】
しかし、こういった筐体のみでの強度、及び剛性を考えた場合、筐体に求められる強度及び剛性は非常に高いものになり、筐体自身の厚み及び重量の削減には限界が生じていた。このことは、モバイル用機器のディスプレイに求められるさらなる薄型軽量化が難しい理由の一つである。
【００１５】
また、モバイル機器のディスプレイとしては、如何に薄型軽量化が求められているとはいえ、高輝度、高コントラスト、高色再現性等の表示品位への要求も多い。したがって、バックライトを持たない反射型よりも、バックライトを備えた透過型或いは半透過型の液晶表示装置を搭載させる要望も高く、バックライトを備えた液晶表示装置を用いても、モバイル機器としての薄型軽量化が図れる技術の開発が待ち望まれている。
【００１６】
本発明は、上記問題点に鑑みなされたものであり、その目的は、バックライトを備えた透過型或いは半透過型の液晶表示装置を前提とし、これにおいて、電池容量を十分に確保しながら、モバイル用途に求められる薄型軽量化を可能にするものであり、表示品位および使用時間を低下させることなく、機械的強度も確保することができる液晶表示装置を提供することにある。
【００１７】
【課題を解決するための手段】
本発明に係る液晶表示装置は、上記課題を解決するために、液晶表示パネルと、該液晶表示パネルに積層して配される背面光源部とを備えた液晶表示装置において、上記液晶表示パネルを上記背面光源部と共に背面側より覆う筐体内に、これら液晶表示パネル及び背面光源部と積層して、薄板状の蓄電池が配されていることを特徴としている。
【００１８】
上記構成によれば、蓄電池が薄板状に形成されて、液晶表示パネルを覆う筐体内に、液晶表示パネル及び背面光源部と積層して配されているので、該蓄電池が、電池容量の確保といったそもそもの機能に加えて、液晶表示装置の機械的強度及び剛性の向上といった、本来は筐体の有するところの機能を持つようになる。つまり、液晶表示装置を表示部として採用した携帯用電子機器において考えれば、携帯用機器として必須の構成部材である蓄電池が、表示部に配されることで、本来は表示部の筐体が有するところの機能を、この蓄電池に担わせることができる。
【００１９】
したがって、蓄電池を液晶表示パネル等と積層させない構成と比較すると、液晶表示装置において必要とされる機械的強度及び剛性が同じであれば、筐体に要求される機械的強度及び剛性が、蓄電池にて担われる分削減されるため、筐体の肉厚を減らすことができる。そのため、例えば、該液晶表示装置を表示部して備えた、表示部と操作部とからなら二つ折りの携帯用電子機器であれば、表示部の筐体の厚みが減った分、機器全体の厚みを薄くすることができる。
【００２０】
そして、この筐体における肉厚の軽減は、重量の軽量化にもつながるので、該液晶表示装置を表示部として搭載した携帯用電子機器としての軽量化が可能となる。
【００２１】
また、軽量化が可能となることは、該液晶表示装置を表示部として搭載した携帯用電子機器としての重量を同じとすれば、軽量化が図れた分電池容量を増やすことで、より長時間使用することが可能となる。本願発明が前提としている背面光源部を備えた透過型或いは半透過型の液晶表示装置においては、背面光源部で消費される電力のために、十分な電池容量の確保が必須である。したがって、このような重量を増やすことなく、電池容量を増加させ得る構成は、透過型或いは半透過型の液晶表示装置を表示部として用いる携帯用電子機器において、非常に有効である。
【００２２】
また、本発明に係る液晶表示装置は、上記の構成に加えて、上記蓄電池と上記筐体における上記液晶表示パネルの背面側を覆う底面とが密着固定されて一体化されていることを特徴としている。
【００２３】
上記構成によれば、筐体の底面と蓄電池とが密着固定されて一体化されているので、液晶表示装置に外部より力が加わった場合、これら筐体の底面と蓄電池とが一体となって変形するので、各々が個々に変形する場合よりも、より一層、機械的強度と剛性が高くなる。
【００２４】
そして、このことは換言すれば、液晶表示装置（携帯用電子機器の表示部）として必要とする機械的強度と剛性を同じとした場合に、筐体の肉厚、及び／又は蓄電池の厚みを薄くすることができることであり、本液晶表示装置を表示部として用いる携帯用電子機器において、されなる薄型軽量化が図れることである。
【００２５】
また、本発明に係る液晶表示装置は、上記の構成に加えて、上記背面光源部と上記蓄電池とが密着固定されて一体化されていることを特徴としている。
【００２６】
上記構成によれば、上記背面光源部と上記蓄電池とが密着固定されて一体化されているため、液晶表示装置に外部より力が加わった場合、これら背面光源部と蓄電池とが一体となって変形することから、各々が個々に変形する場合よりも、より一層、機械的強度と剛性が高くなる。
【００２７】
そして、このことは換言すれば、液晶表示装置（携帯用電子機器の表示部）として必要とする機械的強度と剛性を同じとした場合に、筐体の肉厚、及び／又は蓄電池の厚みを薄くすることが可能となり、本液晶表示装置を表示部として用いる携帯用電子機器のさらなる薄型軽量化を図ることができる。
【００２８】
また、本発明に係る液晶表示装置は、上記の構成に加えて、上記薄板状の蓄電池の、背面光源部と対向する外面部分が光反射特性を示すことを特徴としている。
【００２９】
上記の構成によれば、背面光源部の光源から発せられた光は、背面光源部に対向する蓄電池の光反射特性を有する面にて反射されるので、背面光源部での光反射を担う部材、たとえば反射シート等を別途設けることが不要となる。その結果、反射シートの厚み分さらに薄くできると共に、部材費を削減して、コストダウンを図れるといった作用を併せて奏する。
【００３０】
また、本発明に係る液晶表示装置は、上記の構成に加えて、上記対向面が凹凸を有することを特徴としている。
【００３１】
上記構成によれば、凹凸のある反射特性を示す材料で形成された上記対向面が、背面光源部中の蓄電池側の散乱を担うようになるため、背面光源部の輝度ばらつきを低減するための部材、たとえば光学シート等を別途筐体内に設ける必要がなくなる。その結果、反射シートに加えて光学シート等の厚み分もさらに薄くでき、かつ、部材費をさらに削減して、コストダウンを図れるといった作用を併せて奏する。
【００３２】
また、本発明に係る液晶表示装置においては、上記薄板状の蓄電池と背面光源部とを散乱粒子入りの接着層を介して接着させてもよい。
【００３３】
上記構成によれば、蓄電池と背面光源部との間の散乱粒子入りの接着層が背面光源部内部の光散乱を担うようになるため、背面光源部の輝度ばらつきを低減するための部材、たとえば光学シート等を別途筐体内に設ける必要がなくなる。その結果、反射シートに加えて光学シート等の厚み分もさらに薄くでき、かつ、部材費をさらに削減して、コストダウンを図れるといった作用を併せて奏する。
【００３４】
また、本発明に係る液晶表示装置は、積層面における上記蓄電池の大きさが、上記液晶表示パネルと同等もしくは液晶表示パネルよりも大きいことを特徴としている。
【００３５】
上記構成によれば、液晶表示装置に外部より力が加わった場合、この外力が液晶表示パネルや背面光源部の端部に集中し、これらが破損してしまうという危険性を軽減することができ、より一層、機械的強度と剛性が高くなる。
【００３６】
そして、このことは換言すれば、液晶表示装置（携帯用電子機器の表示部）として必要とする機械的強度と剛性を同じとした場合に、筐体の肉厚、及び／又は蓄電池の厚みを薄くすることが可能となり、本液晶表示装置を表示部として用いる携帯用電子機器のさらなる薄型軽量化を図ることができる。
【００３７】
また、本発明に係る液晶表示装置においては、上記薄板状の蓄電池のパッケージがグランドに接続されていることが望ましい。
【００３８】
これにより、外部からの液晶表示パネルの回路基板へのノイズ、及び液晶表示パネルの回路基板の表示部に及ぼすノイズをシールドできるため、コストアップすることなく、液晶表示装置を電気的に安定したものとすることができる。
【００３９】
また、上記液晶表示装置を表示部として備えたことを特徴とする携帯用電子機器においては、表示部として使用する上記液晶表示装置の機械的強度と剛性を同じとした場合に、筐体の肉厚、及び／又は蓄電池の厚みを薄くすることが可能となり、上記携帯用電子機器のさらなる薄型軽量化を実現することができる。
【００４０】
また、本発明にかかる蓄電池は、薄板状に形成され、液晶表示パネルの背面側に配されることで、該液晶表示パネルに対して機械的強度及び剛性を付与し得ることを特徴としている。
【００４１】
上記構成によれば、該蓄電池が、電池容量の確保といったそもそもの機能に加えて、液晶表示装置の機械的強度及び剛性の向上といった、機能を持つようになる。
【００４２】
したがって、例えば、上記液晶表示パネルと上記蓄電池とを背面側から覆うような筐体を備えた液晶表示装置においては、該筐体に要求される機械的強度及び剛性が、蓄電池にて担われる分削減されるため、該筐体の肉厚を減らすことができる。そのため、前記液晶表示装置を表示部して備え、表示部と操作部とからなら二つ折りの携帯用電子機器であれば、表示部の筐体の厚みが減った分、機器全体の厚みを薄くすることができる。
【００４３】
そして、この筐体における肉厚の軽減は、重量の軽量化にもつながるので、該液晶表示装置を表示部として搭載した携帯用電子機器としての軽量化が可能となる。
【００４４】
また、軽量化が可能となることは、上記液晶表示装置を表示部として搭載した携帯用電子機器としての重量を同じとすれば、軽量化が図れた分電池容量を増やすことで、より長時間使用することが可能となる。
【００４５】
また、本発明にかかる蓄電池は、液晶表示パネル側の面が光反射特性を有することを特徴としている。
【００４６】
上記構成によれば、例えば、液晶表示パネルおよび上記蓄電池を備えた液晶表示装置において、該液晶表示パネルの背面に背面光源部を備える透過型または半透過型を採用した場合、上記背面光源部の光源から発せられた光は、該背面光源部に対向する蓄電池の光反射特性を有する面にて反射されるので、背面光源部での光反射を担う部材、たとえば反射シート等を別途設けることが不要となる。その結果、反射シートの厚み分をさらに薄くできると共に、部材費を削減して、コストダウンを図れるといった作用を併せて奏する。
【００４７】
また、本発明に係る蓄電池は、上記液晶表示パネル側の面がさらに凹凸を有することを特徴としている。
【００４８】
上記構成によれば、例えば、液晶表示パネルおよび上記蓄電池を備えた液晶表示装置において、該液晶表示パネルの背面に背面光源部を備える透過型または半透過型を採用した場合、反射特性を有し、凹凸のある上記液晶表示パネル側の面が、上記背面光源部の蓄電池側の散乱を担うようになるため、背面光源部の輝度ばらつきを低減するための部材、たとえば光学シート等を別途筐体内に設ける必要がなくなる。その結果、光学シート等の厚み分もさらに薄くでき、かつ、部材費をさらに削減して、コストダウンを図れるといった作用を併せて奏する。
【００４９】
【発明の実施の形態】
本発明の液晶表示装置の実施の形態について図１ないし図７に基づいて説明すれば、以下のとおりである。
【００５０】
まず、実施の一形態の液晶表示装置の概略構成を図１〜図３を用いて説明する。
【００５１】
本実施形態の液晶表示装置１１は、図１に示すように、液晶表示パネル１とバックライト（背面光源部）２とが積層されると共に、該バックライト２のさらに背面側に、シートバッテリー（薄板状の蓄電池）３が積層され、これらを覆うように、筐体４が設けられた構成である。
【００５２】
液晶表示パネル１は、電極を有するガラス若しくは樹脂からなる透明な基板が液晶を介して貼り合わせてなる。ここではその両面に偏光板６を貼り付けた構造となっている。そして、液晶表示パネル１は、液晶にかかる電圧を制御することで、液晶の配向を制御し、裏面に配置されたバックライト２からの光の透過量を操作することにより表示を行うものである。
【００５３】
バックライト２は、液晶表示パネル１の裏面に配置され、液晶表示パネル１に表示のための光を供給するものである。バックライトとしては、液晶表示パネル１の下に光源を置く直下型のものや、該図１に示す構成のように、導光板５の側面に光源７を配置してなるエッジライト型等がある。この点、本実施例では、エッジライト型のバックライトを前提に説明するが、本発明はエッジライト型のバックライトに限定されるものではなく、液晶表示パネル１の下に光源を置く直下型のバックライト等を用いることもできる。
【００５４】
エッジライト式では、蛍光管やＬＥＤ等の発光体である光源７の光が導光板５内を伝搬することで、液晶表示パネル１全面にいきわたるようになっている。ここでは図示してはいないが、導光板５からの光を均一に分散するため、若しくは光の利用効率を上げるために、必要に応じて光学シートが液晶表示パネル１と導光板５との間に、配置される。
【００５５】
シートバッテリー３は、ほぼフラットなシート状（薄板状）の形状を有し、図２に示すように、上記液晶表示パネル１の制御回路３１、バックライト２のインバーター回路３２、及びその他ＣＰＵ等の電力を必要とする駆動回路３３と電気的に接続され、それぞれに電源を供給する役割を果たす。そして、図示しないコネクターにより、商用電源と接続することにより、繰り返し充電可能な構造となっている。シートバッテリー３の電池容量として必要な電池容量は、液晶表示装置１１全体の消費電力と求める使用時間とにより決まり、その必要な電池容量からそのシートバッテリー３の大きさ、及び重量が決まる。
【００５６】
このシートバッテリー３の構成を図３に示す。シートバッテリー３は正極２１、正極活物質２２、セパレーター２３、負極活物質２４、負極２５の順に積層され、その正極２１、負極２５間にはイオン伝導体である電解質溶液２６が充填され、それらをパッケージ（外装体）２７にて包み込んだ構成である。
【００５７】
例えば、シートバッテリー３がリチウムポリマー電池の場合は、正極２１にアルミニウム、負極２５に銅、正極活物質２２にコバルト酸リチウム、負極活物質２４にグラファイト等の炭素質材料、セパレーター２３にポリプロピレンやポリエチレンからなる多孔質なポリマーシート、電解質溶液２６には、ゲル状の有機溶媒の中にリチウム塩を溶かしたものが使用される。そしてこれらを包み込むパッケージ２７には、樹脂フィルムとアルミ箔のような反射特性を有する金属箔とが接合されたラミネートフィルムが使用される。
【００５８】
筐体４は、図１に示すように、液晶表示パネル１における表示部に相当する部分に開口を有し、積層された、液晶表示パネル１とバックライト２とシートバッテリー３とを覆うように、液晶表示装置の最外部に配置されている。筐体４は、詳細には、開口を有する上面筐体４ａと、開口を有する側とは反対の下面筐体４ｂとからなり、上記液晶表示パネル１、バックライト２、及びシートバッテリー３は、該下面筐体４ｂの底面４ｂ’と略平行をなすように積層されている。
【００５９】
筐体４に用いる材料については、本発明の構成をとる場合においても、軽く強いものという観点から、低比重にして高強度、高剛性のものが適当である。本発明の構造にすることで、筐体４自身に求められる強度、剛性は減るものの、筐体材料特有の比強度、比剛性が高いほど、より薄型軽量化を実現することができるからである。具体的な材料としては、マグネシウム等を使用するのも良いし、カーボン繊維で強化されたプラスティック等を使用するのも良い。
【００６０】
次に、本発明の積層構造による液晶表示装置の高強度、高剛性化について、図４〜図６を用いて説明する。
【００６１】
本発明の構成において、シートバッテリー３はバックライト２の裏面に配置され、液晶表示パネル１、バックライト２、シートバッテリー３が、筐体４の底面４ｂ’と略平行に積層された構造をとる。
【００６２】
これら液晶表示パネル１、バックライト２、及びシートバッテリー３は、全てほぼフラットなシート状の形態をしており、個々に幾らかの厚みを持つ。このことは、それぞれの部材が固有の強度及び剛性を持つことを意味する。
【００６３】
特に、シートバッテリー３においては、電池単体での強度が性能維持のためにも必要であり、例えばシートバッテリー３の構成部材であるセパレーター２３などは、正極２１と負極２５の絶縁を保つものであり、機械的強度に対して破壊しないように強度的に強いものを使用している。さらに正極２１や負極２５といった電極にはアルミニウム等の金属材料、活物質にはカーボンのように強度的に強いものが多く使用されており、シートバッテリー３自体かなりの強度、剛性を持っている。
【００６４】
本発明では、このシートバッテリー３の持っている強度、剛性により、液晶表示装置１１全体の強度、剛性を上げ、または強度、剛性を確保するために厚みが必要であった筐体４（特に筐体底面４ｂ’）の厚みを減らすことが可能となる。このことは、筐体４（特に筐体底面４ｂ’）の厚みの軽減に加え、筐体４の重量の軽量化にも効果のあるものである。
【００６５】
さらに、本発明では、これらの液晶表示パネル１、バックライト２、シートバッテリー３を積層構造にすることにより、該シートバッテリー３が、電池容量の確保といったそもそもの機能に加えて、液晶表示装置の機械的強度及び剛性の向上といった、本来は筐体４の有するところの機能を持つようになる。よって、シートバッテリー３など、個々のパーツが持つ固有の強度及び剛性が使用時にかかる外力に対して十分でない場合にも、装置全体としての強度及び剛性を増加させることで、外力に対する変位量を小さくできる。
【００６６】
これは、最外面に位置する筐体４の強度、及び剛性が、シートバッテリー３を配置しない場合に必要とされているものより小さくてすむことを意味し、ひいては、筐体４（特に筐体底面４ｂ’）の薄型軽量化が可能となる。
【００６７】
すなわち、シートバッテリー３を液晶表示パネル１等と積層させない構成と比較すると、液晶表示装置１１において必要とされる機械的強度及び剛性が同じであれば、筐体４（特に底面４ｂ’）に要求される機械的強度及び剛性が、蓄電池にて担われる分削減されるので、筐体４（特に筐体底面４ｂ’）の肉厚を減らすことができる。そのため、例えば、該液晶表示装置１１を表示部して備えた、表示部と操作部とからなら二つ折りの携帯用電子機器であれば、表示部の筐体４（特に筐体底面４ｂ’）の厚みが減った分、機器全体の厚みを薄くすることができる。そして、この筐体における肉厚の軽減は、重量の軽量化にもつながるので、該液晶表示装置１１を表示部として搭載した携帯用電子機器としての軽量化が可能となる。また、軽量化が可能となることは、該液晶表示装置１１を表示部として搭載した携帯用電子機器としての重量を同じとすれば、軽量化が図れた分電池容量を増やすことで、より長時間使用することが可能となる。本願発明が前提としている背面光源部を備えた透過型或いは半透過型の液晶表示装置１１においては、背面光源部で消費される電力のために、十分な電池容量の確保が必須である。したがって、このような重量を増やすことなく、電池容量を増加させ得る構成は、透過型或いは半透過型の液晶表示装置１１を表示部として用いる携帯用電子機器において、非常に有効である。
【００６８】
さらに、上記配置において、シートバッテリー３と筐体４（正確には筐体底面４ｂ’）とを接着等により、密着固定した構成をとることにより、シートバッテリー３と筐体４が一体となって外力に対し変形する構造を採れば、さらに曲げ剛性を上げることが可能となる。
【００６９】
すなわち、筐体底面４ｂ’とシートバッテリー３とが密着固定されて一体化されているので、液晶表示装置１１に外部より力が加わった場合、これら筐体の底面４ｂ’とシートバッテリー３とが一体となって変形するので、各々が個々に変形する場合よりも、より一層、機械的強度と剛性が高くなるのである。
【００７０】
また、バックライト２とシートバッテリー３との接着を行うことにより、バックライト２とシートバッテリー３と一体となって外力に対し変形する構造になり、剛性を上げることが可能となる。
【００７１】
このようなメカニズムを詳細に説明すると以下のようになる。
【００７２】
ここで、液晶表示パネル１、バックライト２、シートバッテリー３、筐体４をそれぞれ１枚の板として考える。
【００７３】
まず、単一の板の曲げ剛性と、２枚の板を重ね合わせただけのものの曲げ剛性と、その２枚の板を仮に完全に固定した場合とを考える。
【００７４】
ここでは、理解を容易にするため、２枚の板は同じ弾性率を持ち、同じ厚みのものと考える。
【００７５】
板の長さｌ、弾性率Ｅ、断面２次モーメントＩ、集中荷重Ｐとした時、たわみ量δｍａｘは、δｍａｘ＝（Ｐｌ３）／（４８ＥＩ）で表され、さらに、積層、及び接着に伴うそれぞれの場合の断面２次モーメントの違いは、単一板の断面２次モーメントをＩｏとすると、積層することにより、単純に断面積の大きさが大きくなる分、この場合２倍の断面２次モーメントを有し、たわみ量は１／２になる。
【００７６】
これに対し、それぞれを接着等の方法により一体に固定する場合、厚みが２倍の１枚板の時と同じとみなすことができる。そのため、断面二次モーメントは単一板の断面二次モーメントの８倍に相当する。つまり、たわみ量は１／８になる。
【００７７】
すなわち、同じ剛性、同じ厚みのものを積層した状態にすることにより、たわみ量が半分になり、さらに個々の板を完全に固定した場合は、厚みが２倍の板と同等のたわみ量となり、１／８のたわみ量になる。
【００７８】
逆に、最終的に必要な強度、剛性より、個々のパーツの厚みを設計する場合、シートバッテリー３や筐体４の厚みを減らすことが可能となる。
【００７９】
以上のメカニズムを実際の構成に置き換えると、上記の板に相当するのが筐体４、シートバッテリー３、バックライト２であり、本発明において、それらは積層された状態を採るため、筐体４の強度、剛性に加え、シートバッテリー３及びバックライト２の強度、剛性が加味された状態となる。
【００８０】
まず、バックライト２の裏面にシートバッテリー３が配置されていない場合と、シートバッテリー３が配置されている場合とを図４に示す。
【００８１】
通常の構成であるシートバッテリー３が配置されていない場合、図４（ａ）に示すように、筐体底面４ｂ’側からある外力が加えられた時、中に位置する液晶表示パネル１等が破壊しないだけの曲げ剛性を持った筐体４が必要となり、特に筐体底面４ｂ’に十分な厚みが必要である。
【００８２】
それに対し、図４（ｂ）に示す本発明のように、バックライト２の裏面にシートバッテリー３が配され、さらにその外側に筐体４が配置している場合を考えると、シートバッテリー３は、正極２１、正極活物質２２、セパレーター、負極活物質２３、負極２５、さらにはパッケージ部材２７の積層物からなり（図３参照）、幾らかの厚み及び曲げ剛性を持っている。そのため、図４（ｂ）に示すような、シートバッテリー３の持つ剛性と最外部に位置する筐体４の剛性とで、外力に対する曲げ剛性を保つ構造となる。例えば、液晶表示パネル１が割れに至らないだけの曲げ剛性を設計、加工する時、シートバッテリー３がない場合には筐体４のみ、もしくは筐体４とバックライト２の剛性にて考えなければならなかったのに対し、シートバッテリー３をバックライト２の裏面に配置し、その外側に筐体４が位置する構造をとった場合、上記曲げ剛性は筐体４とシートバッテリー３の剛性、もしくはバックライト２、シートバッテリー３、筐体４の剛性により決定できるのである。
【００８３】
よって、図５に示すとおり、シートバッテリー３がない場合（図５（ａ））に比べ、シートバッテリー３を配置している構造の方が筐体４に求められる剛性が小さく、図５（ｂ）〜図５（ｄ）に示すとおり、同じ材料の筐体４であれば、後者の方が、特に筐体底面４ｂ’をより薄くできることになる。そして、筐体４（特に筐体底面４ｂ’）をより薄くできれば、表示用電力の確保に伴ってシートバッテリー３の厚み及び重量が増加しても表示装置全体の厚みや重量の増加は軽減される。
【００８４】
さらに、シートバッテリー３と筐体４（正確には筐体底面４ｂ’）を接着等の方法により固定するならば、さらに筐体４（特に筐体底面４ｂ’）の厚みを薄くしても剛性がとれるものとなる。つまり、表示に必要な電力から決まるシートバッテリー３を液晶表示装置１１全体の強度及び剛性に利用することにより、筐体４の厚み及び重さ、つまりは、表示装置全体の厚み及び重量を減らすことが可能となる。仮に、シートバッテリー３の比重、及び剛性が筐体４の比重、及び剛性と同じであれば、厚み、及び重量の増加を伴うことなく、シートバッテリー３を配置することが可能となる。
【００８５】
また、この構成は、表示面積が同じ場合、必要な電池容量が多くなればなる程、必然的にシートバッテリー３の厚みを増す必要があるため、シートバッテリー３単体の剛性が増し、それに伴い筐体４（特に筐体底面４ｂ’）の厚みを薄くすることが可能となり、より効果が発揮される。
【００８６】
なお、この時の、筐体４とシートバッテリー３との固定、接着の方法であるが、材料は筐体４、シートバッテリー３の表面材により異なるため、使用材料によりフェノール系、エポキシ系、ポリイミド系等限定されるものではない。筐体４とシートバッテリー３の間にかかるせん断応力、垂直応力に対し十分耐えうるものであれば良い。
【００８７】
同様にバックライト２の構成部材である導光板５とシートバッテリー３も積層されただけの状態よりも、接着等の固定により、強度、及び剛性を増すことができる。この時の導光板５は透過型、半透過型といった、光源を必要とする液晶表示装置１１において、必要なものであり、光源の光を効率良く利用するためには幾らかの厚みが必ず必要になる。その光学的に必ず必要となる導光板５を機械的強度アップに利用し、シートバッテリー３内蔵に伴う、重量、及び厚みの増加を軽減できるのである。
【００８８】
このことは、モバイル用途に求められる薄型軽量で且つ、長時間の使用を可能にするものである。
【００８９】
なお、この時の固定方法であるが、先の筐体４とシートバッテリー３との接着に使用しうるものと同様、せん断応力、垂直応力に耐えうるものであれば良い。
【００９０】
そして、導光板５とシートバッテリー３と筐体４が積層され、さらに接着等による固定がなされたものは、非常に強度、及び剛性が強いものになる。そして、このことは、シートバッテリー３を内蔵していないものに比べ、強度、剛性が上がるため、最外面の筐体４（特に筐体底面４ｂ’）に求められる剛性自体は少なくなる。本発明の構成によれば、電池、及びバックライト２を筐体４（特に筐体底面４ｂ’）の強度補強に加担できる構成となり、強度設計を行う上で筐体４の厚みを薄くすることが可能になる。そしてこのことは、電池を持たないディスプレイに比べ、大きな重量変化を伴うこと無く電池の内蔵を可能にするものである。
【００９１】
つまり、電源供給のための電池容量を十分に確保しつつ、モバイル用途に求められる薄型軽量化を強度を保ちながら行うことが可能となるのである。
【００９２】
また、以上のように積層構造をとる場合、シートバッテリー３は、導光板５と同じ若しくはそれより大きいほうが好ましい。なぜなら、ガラスのような脆性材料で構成された液晶表示パネル１は、応力集中による局所的な力に弱いため、強度設計を行う上で、応力集中の起きない構造とする必要があるのに対し、導光板５よりシートバッテリー３が小さいと応力集中が発生し、液晶表示パネル１が破損し易い構造となってしまうためである。
【００９３】
導光板５よりシートバッテリー３が小さい場合には、図６（ａ）、図６（ｂ）に示すように、外力が加わった時、シートバッテリー３のエッジ部と接している導光板５に応力が集中し、その部分を起点に液晶表示パネル１にも応力集中が発生する。そのため、シートバッテリー３を導光板５より小さくすると液晶表示パネル１に対し応力集中を引き起こす結果となり、破損へとつながるからである。
【００９４】
これに対し、図６（ｃ）、図６（ｄ）に示すように、シートバッテリー３が導光板５と同じ、若しくはそれより大きければ、破損に対し、安定した構造となる。本発明の構造は、積層し、さらには接着することによる、一体構成により強度を確保する構造となっているため、部分的に一体構成ができていない場所があると、応力集中が発生し、その個所を起点に液晶表示パネル１の破損等が起こりうる構造だからである。
【００９５】
次に、本発明の積層構造による、バックライト２の機能の共有化について、図７を用いて説明する。
【００９６】
上述のようにバックライトにも種類があり、液晶表示パネル１の下に光源を置く直下型のものと、図７（ａ）に示すような、導光板５の側面に光源７、導光板５の裏面側（液晶表示パネル１の配置された面の反対側）に反射シート９を配置し、導光板５内部の多重反射、及び反射シート９の反射を利用して液晶表示パネル１側のみを面光源とするエッジライト型のバックライトがある。
【００９７】
この点、薄型軽量を考えた場合は、後者のエッジライト型の方が薄く軽いため、有効である。
【００９８】
しかし、このエッジライト型のバックライト２であっても、まだまだ重く、軽量化が求められている。そして、そのバックライト２の光の利用効率を上げるための反射シート９ですら重さに影響し、この反射シート９の削除も、軽量化への効果が発生する。
【００９９】
先のシートバッテリー３のパッケージ２７であるが、Ａｌ等良好な反射率をもつ金属膜を使用することが可能であり、十分な反射率を確保できるとともに、強度面からもバックライト２の導光板５の裏面に配置される構造となるため、剛性の高いものとなる。そして、図７（ｂ）に示すようなシートバッテリー３のパッケージ２７表面と反射シート９を兼用することにより、液晶表示装置１１を表示部として用いる携帯用電子機器の、薄型軽量化へのさらなるアプローチが可能である。そして、さらにそのことは部材コストの削減にもつながる。
【０１００】
さらに図７（ｃ）に示すように、そのシートバッテリー３表面の反射部に金型等で凹凸１２を形成する、もしくは表面に凹凸１２の形成されたパッケージ材料にてパッケージすることにより、光源７からの入射光がシートバッテリー３表面で散乱し、バックライトの輝度ムラが軽減され、より表示品位の良いものにすることができる。また、その散乱が十分に行われることにより、輝度分布のばらつきがなくなり、入射光を散乱させ輝度分布を軽減させるためにバックライト２の表面に配置される光学シート１０をなくすことも可能となる。そうすることにより、液晶表示装置１１を表示部として搭載した携帯用電子機器としての、さらなる薄型軽量化が可能になると共に、光学シート１０のコスト分の削減が可能となる。
【０１０１】
また、バックライト２の反射シート９とシートバッテリー３のパッケージ２７表面とを兼用する上記構成の場合においても接着等による固定が剛性アップにつながり、筐体４（特に筐体底面４ｂ’）の厚みを薄くすることが可能となる。
【０１０２】
さらに、接着層８を介してバックライト２とシートバッテリー３とを接着する場合、シートバッテリー３表面に凹凸１２をつけなくても、その接着層８中に散乱用粒子を混在したものを利用することによって、光源７からの光を分散し、輝度ムラを軽減することもできる。
【０１０３】
次に、シートバッテリー３の接地によるシールド効果について説明する。
【０１０４】
シートバッテリー３のパッケージ２７（図３参照）を回路基板のグランドと接続すると、回路基板からの液晶表示パネル１へのノイズ信号、及び外部からのノイズによる回路の誤動作に対するシールドの効果を持たせることが可能となる。この点、筐体４に金属等の導電性材料を使う場合は必要ないが、導電性を持たないポリカーボネート等のプラスティック材料やガラス繊維強化プラスティック等の場合、絶縁性材料であるため、メッキ処理等の後処理により、あえて導電性を持たせる作業を行っている。しかし、上記のようにシートバッテリー３をシールドに使用すれば、筐体材料の導電性、非導電性に関らず、メッキ等の後処理工程をせずに使用できるため、筐体材料の制約がなくなり、製造コストのダウンが可能となる。
【０１０５】
以上のように、本発明の液晶表示装置１１においては、シートバッテリー３が、電池容量の確保といったそもそもの機能に加えて、液晶表示装置１１全体の機械的強度及び剛性を向上させる機能を持つように筐体４自体が最適化設計されている。
【０１０６】
これに対し、特許文献１に記載の構成は、透過型と反射型とで、筐体を共用化するために、反射型における空スペースにシートバッテリーを配置しただけであり、本発明の構成のように、シートバッテリーを液晶表示装置の機械的強度、剛性の付与に積極的に用いるといった技術的思想を有するものではない。そのため、
筐体の構造（特に筐体底面４ｂ’の肉厚）を、シートバッテリーによる機械的強度、剛性を加味して設計するといったものでもなく、バックライトとシートバッテリーとを両方備える構成において、薄型軽量化を図る上での工夫等は一切なされていない。したがって、本発明と特許文献１とは、技術的思想が大きく異なるものである。
【０１０７】
【実施例】
本発明の一実施例を図１、図２および図６〜図８を参照して説明すれば以下のとおりである。
【０１０８】
まず、図１のように、液晶表示パネル１は電極を有するガラスからなる２枚の透明な基板を液晶を介して貼り合わせ、その両面に偏光板６を貼り付けた構造とする。そして電圧の制御で、その液晶の配向を制御し、裏面に配置された光源７の透過量を操作する透過型の液晶表示パネル１にて構成される。
【０１０９】
次に、その液晶表示パネル１の裏面に配置されるバックライト２は、蛍光管、ＬＥＤ等の発光体である光源７とその光源７の光を液晶表示パネル１全面にいきわたらせるための導光板５からなる。ここで、必要に応じて図７（ａ）のように、導光板５からの光を均一に分散するため、もしくは光の利用効率を上げるべく、光学シート１０を液晶表示パネル１と導光板５の間に配置してもよい。また、導光板５裏面に、光源からの光の利用効率を上げるべく、反射シート９を配置する場合もある。ただし、本実施例では以下に述べるように、反射シート９や光学シート１０を省略する構成をとる。
【０１１０】
シートバッテリー３は、ほぼフラットなシート状の形態を有し、図２に示すような、上記液晶表示パネル１の制御回路３１や、バックライト２のインバーター回路３２、さらにはその他ＣＰＵ等の電力を必要とする駆動回路３３と電気的に接続され、それぞれに電源を供給する構造とする。そして、図示しないコネクターにより、商用電源と接続することにより、繰り返し充電可能な構造とする。また、シートバッテリー３の具体的構成は、例えば、リチウムポリマー電池の場合、正極２１にアルミニウム、負極２５に銅、正極活物質２２にコバルト酸リチウム、負極活物質２４にグラファイト等の炭素質材料、セパレーター２３にポリプロピレンやポリエチレンからなる多孔質なポリマーシート、電解質溶液２６には、ゲル状の有機溶媒の中にリチウム塩を溶かしたものが使用される。そしてこれらを包み込むパッケージ２７には、樹脂フィルムとアルミ箔のような金属箔とが接合されたラミネートフィルムを使用する。
【０１１１】
そして、図８に示すように、これらの液晶表示パネル１、バックライト２、シートバッテリー３を開閉可能な筐体４の下面側４ｂの中に積層し、さらに先の開閉可能な筐体４の上面側４ａを液晶表示パネル１の表示部が開口された状態にて積層し、図示しないインバーターや制御回路等も含めた状態にて、例えばネジにより、上面筐体４ａと下面筐体４ｂを接続する。これにより、液晶表示パネル１、バックライト２およびシートバッテリー３が、下面筐体４ｂの底面４ｂ’と略平行に積層された状態となる。
【０１１２】
この時の筐体４であるが、本実施例の場合、筐体４に使用する材料は、その材料で決まる比重、及び強度、剛性につき、軽く強いものが良好である。なぜなら、本実施例の構造にすることにより、筐体４自体に求められる強度、剛性は減るものの、その強度、剛性を確保する場合、その材料特有の比強度、比剛性が高いほど薄型軽量化を行うことができるからである。そこで、材料としては、例えば、マグネシウムを使用する。この点、カーボン繊維で強化されたプラスティック等を使用しても良い。
【０１１３】
本実施例の構成によれば、下面筐体４ｂの上にシートバッテリー３が積層されているため、そのシートバッテリー３が曲げ等の外力に対する剛性に加担しており、電池容量を確保しつつも、液晶表示装置１１を表示部として搭載した携帯用電子機器の薄型軽量を可能とする。
【０１１４】
そして、液晶表示パネル１、導光板５、シートバッテリー３、筐体４の底面４ｂ’は、積層時の接触面が同じ大きさになるものとする。（図６（ｃ）参照）。これにより、液晶表示パネル１への局所的な応力の集中を回避することが可能であり、一番脆い液晶表示パネル１の破損を軽減することができる。なお、液晶表示パネル１、導光板５、シートバッテリー３、筐体４の底面４ｂ’については、その積層時の接触面が順に大きくなるように構成してもよい。
【０１１５】
次に、筐体４とシートバッテリー３を接着する。接着の方法としては、エポキシ系からなる二液性の接着剤を混ぜ合せ、筐体４、もしくはシートバッテリー３にロールコータにより塗布後、筐体４とシートバッテリー３を圧着して、数分間放置すればよい。これにより、筐体４とシートバッテリーを完全に固定することができる。
【０１１６】
ここで使用の接着剤は、エポキシ系の二液性接着剤を用いたが、ビニルアセタール・フェノール樹脂系のようなフェノール樹脂系、ポリイミド系、ポリベンツイミダゾール系等、筐体４とシートバッテリー３の固定が十分でき、せん断応力、垂直応力に耐えうる材料であれば良い。また、塗布の方法も、その接着剤の形状によっては、吹き付けによる塗布、粘着フィルムの貼り付け等を行う場合もある。
【０１１７】
同様にして、シートバッテリー３とバックライト２との接着も行う。
【０１１８】
これにより、筐体４とシートバッテリー３、及びシートバッテリー３とバックライト２の間のせん断強さが増し、高い剛性を持つものとなる。そして、接着の効果により剛性が増した分、筐体４（特に筐体底面４ｂ’）の厚みを減らすことが可能であり、液晶表示装置１１を表示部として用いた携帯用電子機器の薄型軽量化が実現できる。
【０１１９】
次に、バックライト２については、前述のように、反射シート９（図７（ａ）参照）を省略し、シートバッテリー３のパッケージ部分２７で兼用する構成をとる。
【０１２０】
すなわち、シートバッテリー３のラミネート表面を反射特性の十分なアルミにてパッケージし、表面保護のために、必要に応じてその外面に透明な樹脂が塗布されたものを用い、反射シート９の機能を兼用させる構成とする。そして、蛍光管等の光源７からの光の内、導光板５裏面に向った光をシートバッテリー３表面にて反射させ、液晶表示パネル１の配されている表面方向へと向きを変え、光の利用効率を上げるのである。
【０１２１】
これにより、光の利用効率を保ったまま、反射シート９の厚み及び重量をなくすことが可能であり、また反射シート９にかかるコスト削減を可能にする。
【０１２２】
さらに、本実施例では、シートバッテリー３のラミネート表面に、例えば約０．１ｍｍφの円形の窪みないし突起がランダムにかつ全面に形成する（図７（ｃ）参照）。その形成方法として、ラミネートフィルムに金型等により凹凸１２を付け、そのラミネートフィルムによりシートバッテリー３のパッケージを行う。なお、シートバッテリー３として形成された状態で、金型により凹凸１２を付けて使用してもよい。また、円形の凹凸１２を実施例にあげたが、光源からの光を散乱させれれば良く、形には依存しない。また、形成方法も凹凸１２が形成できれば良く、方法を限定するものではない。
【０１２３】
これにより、光源７からの光の面内ばらつきが軽減できるため、輝度ムラがなくなるとともに、バックライト２の表面に散乱を目的として配されている光学シート１０を省くことが可能となる。
【０１２４】
また、本実施例のように、シートバッテリー３のラミネート表面に反射シート９の機能を兼用させる場合においても、筐体４内の剛性を上げるために、導光板５とシートバッテリー３を接着する。ただ、シートバッテリー３表面に反射特性をもたせる以上、バックライト２とシートバッテリー３の接着には、光学的配慮が必要である。この場合、接着強度への要求は変わらないが、光の利用効率を維持させるために無色透明のものを使用する必要がある。
【０１２５】
なお、前記構成において、バックライト２とシートバッテリー３の接着を行う際、その接着層８に散乱粒子が混入しているものを利用してもよい。このようにすると、パッケージ表面２７に凹凸１２をつけることなく、光の散乱の効果が得られるからである。
【０１２６】
さらに、本実施例では、シートバッテリーのパッケージ２７（図３参照）を回路基板のグランドと電気的に接続する。
【０１２７】
これにより、外部からのノイズによる信号回路の誤動作を回避できると共に、回路基板が表示部に与えるノイズをなくすことができる。
【０１２８】
この点、筐体４に金属等の導電性材料を使う場合は必要ないが、導電性を持たないポリカーボネート等のプラスティック材料やガラス繊維強化プラスティック等の場合、絶縁性材料であるため、メッキ処理等の後処理により、あえて導電性を持たせる作業を行っている。しかし、上記のようにシートバッテリー３をシールドに使用すれば、筐体材料の導電性、非導電性に関らず、メッキ等の後処理工程をせずに使用できるため、筐体材料の制約がなくなり、製造コストのダウンが可能となる。
【０１２９】
【発明の効果】
本発明に係る液晶表示装置は、以上のように、液晶表示パネルと、該液晶表示パネルに積層して配される背面光源部とを備えた液晶表示装置において、上記液晶表示パネルを上記背面光源部と共に背面側より覆う筐体内に、これら液晶表示パネル及び背面光源部と積層して、薄板状の蓄電池が配されている構成である。
【０１３０】
それゆえ、該蓄電池が、電池容量の確保といったそもそもの機能に加えて、液晶表示装置の機械的強度及び剛性の向上といった、本来は筐体の有するところの機能を持つようになる。つまり、液晶表示装置を表示部として採用した携帯用電子機器において考えれば、携帯用機器として必須の構成部材である蓄電池が、表示部に配されることで、本来は表示部の筐体が有するところの機能を、この蓄電池に担わせることができる。
【０１３１】
したがって、蓄電池を液晶表示パネル等と積層させない構成と比較すると、液晶表示装置において必要とされる機械的強度及び剛性が同じであれば、筐体に要求される機械的強度及び剛性が、蓄電池にて担われる分削減されるため、筐体の肉厚を減らすことができる。そのため、例えば、該液晶表示装置を表示部して備えた、表示部と操作部とからなら二つ折りの携帯用電子機器であれば、表示部の筐体の厚みが減った分、機器全体の厚みを薄くすることができる。
【０１３２】
そして、この筐体における肉厚の軽減は、重量の軽量化にもつながるので、該液晶表示装置を表示部として搭載した携帯用電子機器としての軽量化が可能となるという効果を奏する。
【０１３３】
また、軽量化が可能となることは、該液晶表示装置を表示部として搭載した携帯用電子機器としての重量を同じとすれば、軽量化が図れた分電池容量を増やすことで、より長時間使用することが可能となるという効果を併せて奏する。本願発明が前提としている背面光源部を備えた透過型或いは半透過型の液晶表示装置においては、背面光源部で消費される電力のために、十分な電池容量の確保が必須である。したがって、このような重量を増やすことなく、電池容量を増加させ得る構成は、透過型或いは半透過型の液晶表示装置を表示部として用いる携帯用電子機器において、非常に有効である。
【０１３４】
また、本発明に係る液晶表示装置は、以上のように、上記蓄電池と上記筐体における上記液晶表示パネルの背面側を覆う底面とが密着固定されて一体化された構成である。
【０１３５】
それゆえ、液晶表示装置に外部より力が加わった場合、これら筐体の底面と蓄電池とが一体となって変形するので、各々が個々に変形する場合よりも、より一層、機械的強度と剛性が高くなるという効果を奏する。
【０１３６】
そして、このことは換言すれば、液晶表示装置（携帯用電子機器の表示部）として必要とする機械的強度と剛性を同じとした場合に、筐体の肉厚、及び／又は蓄電池の厚みを薄くすることができることであり、本液晶表示装置を表示部として用いる携帯用電子機器において、さらなる薄型軽量化が図れるということでもある。
【０１３７】
また、本発明に係る液晶表示装置は、以上のように、上記背面光源部と上記蓄電池とが密着固定されて一体化された構成である。
【０１３８】
それゆえ、液晶表示装置に外部より力が加わった場合、これら背面光源部と蓄電池とが一体となって変形することから、各々が個々に変形する場合よりも、より一層、機械的強度と剛性が高くなるという効果を奏する。
【０１３９】
そして、このことは換言すれば、液晶表示装置（携帯用電子機器の表示部）として必要とする機械的強度と剛性を同じとした場合に、筐体の肉厚、及び／又は蓄電池の厚みを薄くすることが可能となり、本液晶表示装置を表示部として用いる携帯用電子機器のさらなる薄型軽量化を図ることができるということでもある。
【０１４０】
また、本発明に係る液晶表示装置は、以上のように、上記薄板状の蓄電池の、背面光源部と対向する外面部分が光反射特性を示す構成である。
【０１４１】
それゆえ、背面光源部の光源から発せられた光は、背面光源部に対向する蓄電池の光反射特性を有する面にて反射されるので、背面光源部での光反射を担う部材、たとえば反射シート等を別途設けることが不要となる。その結果、反射シートの厚み分さらに薄くできると共に、部材費を削減して、コストダウンを図れるといった効果を奏する。
【０１４２】
また、本発明に係る液晶表示装置は、以上のように、上記対向面が凹凸を有する構成である。
【０１４３】
上記構成によれば、凹凸のある反射特性を示す材料で形成された上記対向面が、背面光源部中の蓄電池側の散乱を担うようになるため、背面光源部の輝度ばらつきを低減するための光学シート等を別途筐体内に設ける必要がなくなる。その結果、反射シートに加えて光学シート等の厚み分もさらに薄くでき、かつ、部材費をさらに削減して、コストダウンを図れるといった効果を奏する。
【０１４４】
また、本発明に係る液晶表示装置は、以上のように、上記薄板状の蓄電池と背面光源部とを散乱粒子入りの接着層を介して接着させる構成である。
【０１４５】
それゆえ、蓄電池と背面光源部との間の散乱粒子入りの接着層が背面光源部内部の光散乱を担うようになり、背面光源部の輝度ばらつきを低減するための光学シート等を別途筐体内に設ける必要がなくなる。その結果、反射シートに加えて光学シート等の厚み分もさらに薄くでき、かつ、部材費をさらに削減して、コストダウンを図れるといった効果を併せて奏する。
【０１４６】
また、本発明に係る液晶表示装置は、以上のように、積層面における上記蓄電池の大きさが、上記液晶表示パネルと同等もしくは液晶表示パネルよりも大きい構成である。
【０１４７】
それゆえ、液晶表示装置に外部より力が加わった場合、この外力が液晶表示パネルや背面光源部の端部に集中し、これらが破損してしまうという危険性を軽減することができ、より一層、機械的強度と剛性が高くなるという効果を奏する。
【０１４８】
そして、このことは換言すれば、液晶表示装置（携帯用電子機器の表示部）として必要とする機械的強度と剛性を同じとした場合に、筐体の肉厚、及び／又は蓄電池の厚みを薄くすることが可能となり、本液晶表示装置を表示部として用いる携帯用電子機器のさらなる薄型軽量化を図ることができることでもある。
【０１４９】
また、本発明に係る液晶表示装置は、以上のように、上記薄板状の蓄電池のパッケージがグランドに接続されている構成である。
【０１５０】
これにより、外部からの液晶表示パネルの回路基板へのノイズ、及び液晶表示パネルの回路基板の表示部に及ぼすノイズをシールドできるため、コストアップすることなく、液晶表示装置を電気的に安定したものとすることができるという効果を奏する。
【０１５１】
また、上記液晶表示装置を表示部として備えたことを特徴とする携帯用電子機器においては、表示部として使用する上記液晶表示装置の機械的強度と剛性を同じとした場合に、筐体の肉厚、及び／又は蓄電池の厚みを薄くすることが可能となり、上記携帯用電子機器のさらなる薄型軽量化を実現することができる。
【０１５２】
また、本発明にかかる蓄電池は、薄板状に形成され、液晶表示パネルの背面側に配されることで、該液晶表示パネルに対して機械的強度及び剛性を付与し得る構成である。
【０１５３】
それゆえ、該蓄電池が、電池容量の確保といったそもそもの機能に加えて、液晶表示装置の機械的強度及び剛性の向上といった、機能を持つようになる。
【０１５４】
したがって、例えば、上記液晶表示パネルと上記蓄電池とを背面側から覆うような筐体を備えた液晶表示装置においては、該筐体に要求される機械的強度及び剛性が、蓄電池にて担われる分削減されるため、該筐体の肉厚を減らすことができる。そのため、前記液晶表示装置を表示部して備え、表示部と操作部とからなら二つ折りの携帯用電子機器であれば、表示部の筐体の厚みが減った分、機器全体の厚みを薄くすることができるという効果を奏する。
【０１５５】
そして、この筐体における肉厚の軽減は、重量の軽量化にもつながるので、該液晶表示装置を表示部として搭載した携帯用電子機器としての軽量化が可能となるという効果を奏する。
【０１５６】
また、軽量化が可能となることは、上記液晶表示装置を表示部として搭載した携帯用電子機器としての重量を同じとすれば、軽量化が図れた分電池容量を増やすことで、より長時間使用することが可能となるという効果を奏する。
【０１５７】
また、本発明にかかる蓄電池は、液晶表示パネル側の面が光反射特性を有する構成である。
【０１５８】
それゆえ、液晶表示パネルおよび上記蓄電池を備えた液晶表示装置において、該液晶表示パネルの背面に背面光源部を備える半透過型または透過型を採用した場合、上記背面光源部から発せられた光は、該背面光源部に対向する蓄電池の光反射特性を有する面にて反射されるので、背面光源部での光反射を担う部材、たとえば反射シート等を別途設けることが不要となる。その結果、反射シートの厚み分さらに薄くできると共に、部材費を削減して、コストダウンを図れるといった効果を併せて奏する。
【０１５９】
また、本発明にかかる蓄電池は、上記液晶表示パネル側の面がさらに凹凸を有する構成である。
【０１６０】
それゆえ、例えば、液晶表示パネルおよび上記蓄電池を備えた液晶表示装置において、該液晶表示パネルの背面に背面光源部を備える半透過型または透過型を採用した場合、反射特性を有し、凹凸のある上記液晶表示パネル側の面が、上記背面光源部中の蓄電池側の散乱を担うようになるため、背面光源部の輝度ばらつきを低減するための光学シート等を別途筐体内に設ける必要がなくなる。その結果、光学シート等の厚み分もさらに薄くでき、かつ、部材費をさらに削減して、コストダウンを図れるといった効果を併せて奏する。
【図面の簡単な説明】
【図１】本発明の実施の一形態を示すもので、液晶表示装置の概略構成を示す断面図である。
【図２】上記シートバッテリーの電源供給を説明するためのブロック図である。
【図３】上記シートバッテリーの概略構成を示す断面図である。
【図４】図４（ａ）は、従来構成の液晶表示装置が加圧をうける状態を示す断面図、図４（ｂ）は本発明にかかる上記一実施例の液晶表示装置が加圧をうける状態を示す断面図である。
【図５】図５（ａ）ないし図５（ｄ）は、液晶表示装置全体の剛性を同じにした時の筐体の厚みの変化を表す断面図である。
【図６】図６（ａ）、図６（ｂ）はシートバッテリーがバックライトより小さい場合の筐体内部の応力集中の様子を示す断面図であり、図６（ｃ）、図６（ｄ）はシートバッテリーとバックライトが同じ大きさの場合の筐体内部の応力集中の様子を示す断面図である。
【図７】図７（ａ）は本発明にかかる一実施の形態の液晶表示装置におけるバックライト（背面光源部）の概略構成を示す断面図、図７（ｂ）、図７（ｃ）は本発明にかかる他の実施の形態の液晶表示装置におけるバックライト（背面光源部）およびシートバッテリーの概略構成を示す断面図である。
【図８】本発明にかかる実施例の液晶表示装置を示す分解斜視図である。
【符号の説明】
１  液晶表示パネル
２  バックライト（背面光源部）
３  シートバッテリー（薄板状の蓄電池）
４  筐体
４ａ  上面筐体
４ｂ  下面筐体
４ｂ’  筐体底面
５  導光板
６  偏光板
７  光源
８  接着層
９  反射シート
１０  光学シート
１１  液晶表示装置
１２  表面凹凸
２１  正極
２２  正極活物質
２３  セパレーター
２４  負極活物質
２５  負極
２６  電解質溶液
２７  パッケージ
【図１】
2004163462.tif 000003
【図２】
2004163462.tif 000004
【図３】
2004163462.tif 000005
【図４】
2004163462.tif 000006
【図５】
2004163462.tif 000007
【図６】
2004163462.tif 000008
【図７】
2004163462.tif 000009
【図８】
2004163462.tif 000010